(57)【特許請求の範囲】
【請求項１】
被計測者から加えられる圧力をそれぞれ検知する複数の圧力検知領域を有するシート状の圧力分布センサと、
前記複数の圧力検知領域のそれぞれで検知される圧力に対応した出力値を圧力分布データとして記憶する検知データ記憶手段と、
前記検知データ記憶手段に記憶された前記圧力分布データを解析して前記被計測者の歩行機能に関する年齢を推定する解析手段とを備えていることを特徴とする歩行訓練支援装置。
【請求項２】
前記解析手段が、
前記検知データ記憶手段に記憶された前記圧力分布データに基づいて、歩行機能に関する１又は複数種類の評価値を算出する評価値算出手段と、
前記評価値算出手段が算出した前記評価値に基づいて前記被計測者の歩行機能に関する年齢を推定する推定手段とを備えていることを特徴とする請求項１に記載の歩行訓練支援装置。
【請求項３】
前記評価値算出手段は、前記被計測者が前記圧力分布センサ上において足を動かしたときの前記圧力分布データに基づいて前記評価値を算出することを特徴とする請求項２に記載の歩行訓練支援装置。
【請求項４】
前記評価値算出手段は、前記被計測者が、前記圧力分布センサ上に形成された基準直線に沿って踏み出した足の踵側端部が他方の足の爪先側端部に接するように歩行したときの前記圧力分布データに基づいて、前記評価値を算出することを特徴とする請求項３に記載の歩行訓練支援装置。
【請求項５】
前記評価値算出手段は、前記圧力分布センサ上に形成された前記被計測者の両足が左右方向に揃った状態で配置しうる複数の両足配置領域間を、前記被計測者が各両足配置領域において両足を配置しつつ移動したときの前記圧力分布データに基づいて、前記評価値を算出することを特徴とする請求項３に記載の歩行訓練支援装置。
【請求項６】
前記評価値算出手段は、前記被計測者が前記圧力分布センサ上で足踏みしたときの前記圧力分布データに基づいて、前記評価値を算出することを特徴とする請求項３に記載の歩行訓練支援装置。
【請求項７】
前記解析手段が、前記圧力分布データに基づいて前記圧力分布センサ上における前記被計測者の重心位置を算出する重心位置算出手段をさらに有しており、
前記評価値算出手段が、前記重心位置算出手段が算出した前記重心位置に基づいて前記評価値を算出することを特徴とする請求項２〜６のいずれかに記載の歩行訓練支援装置。
【請求項８】
歩行機能に関する年齢と各年齢に関連づけられた前記評価値とをデータベースとして記憶するデータベース記憶手段をさらに備えており、
前記推定手段が、前記評価値算出手段が算出した前記評価値と、前記データベース記憶手段に記憶された前記データベースとに基づいて前記被計測者の歩行機能に関する年齢を推定することを特徴とする請求項２〜７のいずれかに記載の歩行訓練支援装置。
【請求項９】
前記評価値算出手段が算出した前記評価値と、前記推定手段が推定した前記被計測者の歩行機能に関する年齢とを表示する表示手段をさらに備えていることを特徴とする請求項２〜８のいずれかに記載の歩行訓練支援装置。
【発明の詳細な説明】
【技術分野】
【０００１】
本発明は、加齢、病気及びケガなどにより歩行機能が低下している場合に、歩行機能を回復させるために行われる歩行訓練を支援する歩行訓練支援装置に関する。
【背景技術】
【０００２】
歩行機能の向上を図る歩行訓練の支援装置としては、多数の感圧センサを有すると共に圧力被計測者が歩行可能となっている圧力分布センサを備え、当該圧力分布センサ上を患者（被計測者）が歩行したときの足裏にかかる荷重と足位置と計測する技術が知られている（特許文献１参照）。この技術によると、被計測者の足裏の荷重状態を数値化することができるため、理想的な荷重状態との差を客観的に把握することができる。
【０００３】
【特許文献１】特開２０００−３０８６９８号公報（図１、図２）
【発明の開示】
【発明が解決しようとする課題】
【０００４】
しかしながら、足裏の荷重状態の分析には専門的な知識が必要となるため、専門的な知識を有さない被計測者などが計測結果から被計測者の歩行機能を把握することが難しい。
【０００５】
本発明の主たる目的は、専門的な知識を有さない者であっても被計測者の歩行機能を把握することができる歩行訓練支援装置を提供することである。
【課題を解決するための手段および発明の効果】
【０００６】
本発明の歩行訓練支援装置は、被計測者から加えられる圧力をそれぞれ検知する複数の圧力検知領域を有するシート状の圧力分布センサと、前記複数の圧力検知領域のそれぞれで検知される圧力に対応した出力値を圧力分布データとして記憶する検知データ記憶手段と、前記検知データ記憶手段に記憶された前記圧力分布データを解析して前記被計測者の歩行機能に関する年齢を推定する解析手段とを備えている
【０００７】
本発明によると、解析手段が、被計測者が圧力分布センサに加える圧力分布に基づいて被計測者の歩行機能に関する年齢を推定するため、被計測者が年齢相当の歩行機能を有しているか否かを容易に判断することができる。これにより、専門的な知識を有さない者であっても被計測者の歩行機能を把握することができる。
【０００８】
本発明においては、前記解析手段が、前記検知データ記憶手段に記憶された前記圧力分布データに基づいて、歩行機能に関する１又は複数種類の評価値を算出する評価値算出手段と、前記評価値算出手段が算出した前記評価値に基づいて前記被計測者の歩行機能に関する年齢を推定する推定手段とを備えていることが好ましい。これによると、解析手段が、特定の歩行機能に関する評価値に基づいて被計測者の歩行機能に関する年齢を推定するため、歩行機能に関する年齢をより正確に推定することができる。
【０００９】
また、本発明においては、前記評価値算出手段が、前記被計測者が前記圧力分布センサ上において足を動かしたときの前記圧力分布データに基づいて前記評価値を算出することがより好ましい。これによると、評価値算出手段が、被計測者が足を動かしたときの圧力分布データに基づいて評価値を算出するため、被計測者の歩行機能に関する年齢をより一層正確に推定することができる。
【００１０】
このとき、本発明においては、前記評価値算出手段が、前記被計測者が、前記圧力分布センサ上に形成された基準直線に沿って踏み出した足の踵側端部が他方の足の爪先側端部に接するように歩行したときの前記圧力分布データに基づいて、前記評価値を算出してもよい。これによると、評価値算出手段が、被計測者がつぎ足歩行を行ったときの圧力分布データに基づいて評価値を算出するため、被計測者の歩行機能に関する年齢をさらにより一層正確に推定することができる。
【００１１】
または、本発明においては、前記評価値算出手段が、前記圧力分布センサ上に形成された前記被計測者の両足が左右方向に揃った状態で配置しうる複数の両足配置領域間を前記被計測者が各両足配置領域において両足を配置しつつ移動したときの前記圧力分布データに基づいて、前記評価値を算出してもよい。これによると、被計測者の両足が左右方向に揃った状態で配置されるため、被計測者が通常歩行する場合と比較して圧力分布センサの平面積を小さくすることができる。これにより圧力分布センサの小型化及び低コスト化を図ることができる。
【００１２】
さらに、本発明においては、前記評価値算出手段が、前記被計測者が前記圧力分布センサ上で足踏みしたときの前記圧力分布データに基づいて、前記評価値を算出してもよい。これによると、被計測者が圧力分布センサ上を移動しないため、圧力分布センサをさらに小さくすることができる。これにより、圧力分布センサの小型化及び低コスト化をさらに図ることができる。
【００１３】
加えて、本発明においては、前記解析手段が、前記圧力分布データに基づいて前記圧力分布センサ上における前記被計測者の重心位置を算出する重心位置算出手段をさらに有しており、前記評価値算出手段が、前記重心位置算出手段が算出した前記重心位置に基づいて前記評価値を算出することが好ましい。これによると、評価値算出手段が、被計測者の重心位置に基づいて評価値を算出するため、推定手段が、被計測者の歩行機能に関する年齢をより一層正確に推定することができる。
【００１４】
また、本発明においては、歩行機能に関する年齢と各年齢に関連づけられた前記評価値とをデータベースとして記憶するデータベース記憶手段をさらに備えており、前記推定手段が、前記評価値算出手段が算出した前記評価値と、前記データベース記憶手段に記憶された前記データベースとに基づいて前記被計測者の歩行機能に関する年齢を推定することがより一層好ましい。これによると、推定手段が、予め記憶されているデータベースに基づいて被計測者の歩行機能に関する年齢を素早く推定することができる。
【００１５】
さらに、本発明においては、前記評価値算出手段が算出した前記評価値と、前記推定手段が推定した前記被計測者の歩行機能に関する年齢とを表示する表示手段をさらに備えていることがさらにより一層好ましい。これによると、専門的な知識を有さない者であっても被計測者の歩行機能を容易に把握することができる。
【発明を実施するための最良の形態】
【００１６】
以下、本発明の好適な実施の形態について、図面を参照しつつ説明する。図１は、本発明の実施の形態に係る歩行訓練支援装置の概略構成を示す外観図である。図２は、図１の歩行訓練支援装置の概略構成を示すブロック図である。
【００１７】
歩行訓練支援装置１は、被計測者の歩行機能を計測するものである。図１及び図２に示すように、歩行訓練支援装置１は、シート状の圧力分布センサ１１と、圧力分布センサ１１に接続された圧力検出部１２と、パーソナルコンピュータ（パソコン）２０と、圧力検出部１２とパソコン２０とを接続する接続ユニット４０とを備えている。接続ユニット４０は、インターフェースボックス４５及びインターフェースケーブル４６を含んでおり、その両端が圧力検出部１２及びパソコン２０の各入出力インターフェース（図示しない）に接続されている。
【００１８】
圧力分布センサ１１は、被計測者がその上に立ったとき、被計測者の両足から加えられる圧力を検知する圧力検知領域となる多数の感圧センサ１１ａが格子状に配置されたものである。圧力検出部１２は、多数の感圧センサ１１ａのそれぞれに接続されており、各感圧センサ１１ａの状態を検出する。各感圧センサ１１ａの状態は、それらに加えられる圧力に対応した０〜２５５のデジタル出力値によって表され、その出力値がパソコン２０に対して出力される。
【００１９】
圧力分布センサ１１の大きさは、計測時における圧力分布センサ１１上での被計測者の動作内容によって決定される。また、圧力分布センサ１１は、シート単体での使用も可能であるが、シートの保護の観点から、ゴムシートを緩衝用に積層してもよい。また、床上へのセッティングを容易にする目的でセンサを保持するアルミなどの金属製や樹脂製の板の上に積層してもよい。
【００２０】
図２に示すように、パソコン２０は、ディスプレイ２１と、キーボード２５と、マウス２６と、制御部３０とを有している。ここで、制御部３０には、歩行訓練支援装置１に係る各種動作を制御する歩行訓練支援プログラムやデータなどが格納されたハードディスク、歩行訓練支援装置１の各部の動作を制御する信号を生成するために各種演算を実行するＣＰＵ、ＣＰＵでの演算結果などのデータを一時保管するＲＡＭなどが含まれている。
【００２１】
制御部３０は、モード設定部１３１と、圧力分布データ記憶部（検知データ記憶手段）１３２と、解析部（解析手段）１５０と、重心位置記憶部１３８と、基準位置記憶部１３９と、中心変位長記憶部１４０と、データベース記憶部１４４と、表示制御部１４５とを有している。また、制御部３０には、ディスプレイ２１と、キーボード２５と、マウス２６とがそれぞれ接続されている。
【００２２】
モード設定部１３１は、被計測者の歩行状態を測定する各モードの設定を行うものである。本実施の形態では、モード設定部１３１が、ステップモード（１）、つぎ足モード（２）、一歩モード（３）及び足踏みモード（４）の計４つのモードが設定可能となっている。オペレータが、マウス２６などを操作することによって、モード（１）〜（４）のいずれかが選択的に設定される。各モードは測定時において被計測者が行う動作内容が異なる。各モードの動作内容について図３〜図６を参照しつつ説明する。図３はステップモード（１）の動作内容を示した図である。図４はつぎ足モード（２）の動作内容を示した図である。図５は一歩モード（３）の動作内容を示した図である。図６は足踏みモード（４）の動作内容を示した図である。なお、図中に示された足形は、圧力分布センサ１１上に配置された被計測者の足の配置位置を示している。
【００２３】
図３に示すように、ステップモード（１）では、圧力分布センサ１１上において、「１」〜「６」の番号が付された計６つの両足配置領域１１ｂが形成される。なお、両足配置領域１１ｂの数は６に限られるものでなく、圧力分布センサの面積に応じて任意の数の両足配置領域が形成されてよい。各両足配置領域１１ｂは、被計測者の両足が左右方向に揃った状態で配置される。後述するように、被計測者は、ディスプレイ２１に表示された指示に従って、各両足配置領域１１ｂ「１」〜「６」に両足を配置させつつ両足配置領域１１ｂ間を移動する。なお、図３においては、被計測者が両足配置領域１１ｂ「１」から両足配置領域１１ｂ「４」に移動する場合が示されている。
【００２４】
図４に示すように、つぎ足モード（２）においては、圧力分布センサ１１の短手方向中央に、長手方向に沿って延びた直線１１ｃが形成される。被計測者が、ディスプレイ２１に表示された指示に従って、踏み出した足の踵側端部が他方の足の爪先側端部に接するように直線１１ｃに沿って歩行する（つぎ足歩行）。
【００２５】
図５に示すように、一歩モード（３）では、ディスプレイ２１に表示された内容に従って圧力分布センサ１１上で片足を一歩踏み出す。図５においては、被計測者が右足を足踏み出す状態が示されている。
【００２６】
図６に示すように、足踏みモード（４）では、ディスプレイ２１に表示された内容に従って、被計測者が、左足のみが圧力分布センサ１１上に配置される動作と（図中左）、右足のみが圧力分布センサ１１上に配置される動作と（図中右）を交互に行う。
【００２７】
このように、各モード（１）〜（４）のいずれにおいても、被験者の動作に被計測者の一方の足が圧力分布センサから離隔する状態が含まれている。
【００２８】
図２に戻って、圧力分布データ記憶部１３２は、圧力検出部１２から接続ユニット４０を介してパソコン２０に送信された圧力分布データを記憶するものである。圧力分布データ記憶部１３２には、圧力分布センサ１１に格子状に配置された多数の感圧センサ１１ａごとに、計測時間内におけるサンプル時間おきの圧力分布データが記憶されている。つまり、各サンプル時間に対応する１つの検知時刻における多数の感圧センサ１１ａの圧力分布データが、検知時刻の数だけ記憶されている。従って、この圧力分布データに基づいて、各感圧センサ１１ａで検知される圧力の時間的な変化を把握することができる。これにより、圧力分布センサ１１で検出される圧力分布の時間的な変化を検知することができる。
【００２９】
解析部１５０は、重心位置算出部（重心位置算出手段）１３３と、比較部１３４と、変換部１３５と、基準位置算出部１３６と、中心変位長算出部１３７と、パラメータ算出部（評価値算出手段）１４１と、年齢推定部（推定手段）１４３とを有している。
【００３０】
重心位置算出部１３３は、圧力分布データ記憶部１３２に記憶された圧力分布データに基づいて、検知時刻ごとに圧力分布センサ１１上の被計測者の重心位置を算出すると共に算出した重心位置を重心位置記憶部１３８に記憶するものである。
【００３１】
重心位置算出部１３３における重心位置の算出方法について、図７を参照して説明する。図７は、所定時間において多数の感圧センサ１１ａで検知される圧力分布データを示している。本実施の形態の圧力分布センサ１１では、多数の感圧センサ１１ａが、Ｘ軸方向（左右方向）にｍ＋１列に配置されていると共に、Ｙ軸方向（上下方向）にｎ＋１列に配置されている。従って、多数の感圧センサ１１ａは、（ｍ＋１）×（ｎ＋１）の格子状に配置されている。
【００３２】
また、図７では、各感圧センサ１１ａで検知された圧力データが記号で示されている。例えば、Ｘ軸方向にはｕ列目であって且つＹ軸方向にはｖ列目に対応する感圧センサ１１ａによって検知される圧力データは、ａ（ｕ、ｖ）（但し、ｕは０以上ｍ以下の整数、ｖは０以上ｎ以下の整数）と表されている。
【００３３】
この場合のＸ軸方向の重心位置Ｃｆｘは、次式で算出される。
【式１】
【００３４】
0004749897.tif 000002
【００３５】
また、Ｙ軸方向の重心位置Ｃｆｙは、次式で算出される。
【式２】
【００３６】
0004749897.tif 000003
【００３７】
図２に戻って、比較部１３４は、各感圧センサ１１ａで検知された出力値と、閾値１とを比較するものである。上述したように、各感圧センサ１１ａで検知された出力値は、０〜２５５のデジタル出力値によって表される。各感圧センサ１１ａから出力がある場合には、その出力値は閾値１以上になる。
【００３８】
変換部１３５は、比較部１３４において、各感圧センサ１１ａで検知された出力値が閾値１以上であるという比較結果が得られた場合に、それらの出力値を１に変換し、比較部１３４において、各感圧センサ１１ａで検知された出力値が閾値１よりも小さいという比較結果が得られた場合に、それらの出力値を０に変換するものである。従って、変換部１３５では、各感圧センサ１１ａにおける出力値が閾値１以上になる場合には、その出力値は１に変換され、各感圧センサ１１ａにおける出力がない（０である）場合には、その出力値は０のままである。このように、本実施の形態では、各感圧センサ１１ａの出力値は、０または１のいずれかに２値化変換される。
【００３９】
被計測者が圧力分布センサ１１上に両足を配置したときの出力値が２値化変換されたものの一例を図８に示す。なお、図８においては、出力値が０に変換された領域を白で、出力値が１に変換された領域を黒で示している。また、ふらつき度を計測するための基準位置をＡで、重心位置をＢで示している。さらに、後述する中心変位長をＣで示している。図８に示すように、各感圧センサ１１ａの出力値が２値化変換されることにより、被計測者の両足と圧力分布センサ１１との接触領域を正確に表すことができる。そして、接触領域の中心位置と重心位置Ｂとが一致しているときは安定度が一番高い、言い換えるとふらつき度が一番小さいといえる。つまり、接触領域の中心位置を、ふらつき度を計測するための基準位置Ａとし、基準位置Ａと重心位置Ｂとの距離である中心変位長Ｃを、ふらつき度を表す指標の１つとする。
【００４０】
図２に戻って、基準位置算出部１３６は、検知時刻ごとに被計測者の基準位置を算出すると共に算出した基準位置を基準位置記憶部１３９に記憶するものである。上述したように、被計測者と圧力分布センサ１１との接触領域の中心位置を算出し、これを基準位置とする。そして、Ｘ軸方向の基準位置Ｃｐｘは、次式で算出される。
【式３】
【００４１】
0004749897.tif 000004
【００４２】
また、Ｙ軸方向の基準位置Ｃｐｙは、次式で算出される。
【式４】
【００４３】
0004749897.tif 000005
【００４４】
ここで、式３及び式４においては、圧力データａ（ｕ、ｖ）として、変換部１３５によって変換された後の出力値が用いられる。つまり、各感圧センサ１１ａで検知された出力値が閾値１以上である場合には、それらの出力値は全て１として、一方、その出力値が閾値１より小さい場合には、それらの出力値は全て０として、式３及び式４によって基準位置が算出される。算出された基準位置は順次基準位置記憶部１３９に記憶される。つまり、検知時刻ごとに、被計測者の重心位置が重心位置記憶部１３８に記憶されると共に基準位置が基準位置記憶部１３９に記憶される。
【００４５】
中心変位長算出部１３７は、各検知時刻に対応して、重心位置算出部１３３が算出した重心位置（Ｃｆｘ、Ｃｆｙ）と、基準位置算出部１３６が算出した基準位置（Ｃｐｘ、Ｃｐｙ）との距離である中心変位長を算出すると共に算出した中心変位長を検知時刻ごとに中心変位長記憶部１４０に記憶するものである。つまり、中心変位長は、１つの計測時間内における各検知時刻に対応する数だけ算出される。上述したように、中心変位長は被計測者のふらつき度の指標となるものである（図８のＣ参照）。
【００４６】
パラメータ算出部１４１は、中心変位長記憶部１４０に記憶された中心変位長に基づいて、検査結果となる各種パラメータ（本実施の形態では、「総中心変位長」、「単位総中心変位長」、「総Ｘ中心変位長」、「単位総Ｘ中心変位長」、「総Ｙ中心変位長」及び「単位総Ｙ中心変位長」）の値を算出するものである。これら各種パラメータの値は、歩行機能に関するふらつき度の評価値である。また、パラメータ算出部１４１は、総中心変位長算出部１４１ａと、単位総中心変位長算出部１４１ｂとを含んでいる。
【００４７】
総中心変位長算出部１４１ａは、「総中心変位長」、「総Ｘ中心変位長」及び「総Ｙ中心変位長」を算出するものである。「総中心変位長」は、１つの計測時間内における各検知時刻に対応するように算出された中心変位長を積算したものである。「総Ｘ中心変位長」は、「総中心変位長」におけるＸ方向成分の長さである。「総Ｙ中心変位長」は、「総中心変位長」におけるＹ方向成分の長さである。
【００４８】
単位総中心変位長算出部１４１ｂは、「単位総中心変位長」、「単位総Ｘ中心変位長」及び「単位総Ｙ中心変位長」を算出するものである。「単位総中心変位長」は、「総中心変位長」に計測時間に対する所定の単位時間の比を乗じたものである。なお、単位時間は任意の時間であってよい。同様に「単位総Ｘ中心変位長」は、「総Ｘ中心変位長」に計測時間に対する所定の単位時間の比を乗じたものであり、「単位総Ｙ中心変位長」は、「総Ｙ中心変位長」に計測時間に対する所定の単位時間の比を乗じたものである。「単位総中心変位長」、「単位総Ｘ中心変位長」及び「単位総Ｙ中心変位長」同士を比較することにより、被計測者によって総中心変位長が大きく異なる場合であっても、客観的なふらつき度を把握することができる。
【００４９】
年齢推定部１４３は、パラメータ算出部１４１が算出した各種パラメータの値に基づいて被計測者の歩行機能に関する年齢を推定するものである。具体的には、データベース記憶部１４４に記憶された年齢と、各年齢における各種パラメータの平均値（各年齢に関連づけられた各種パラメータの値）とからなるデータベースを参照して、パラメータ算出部１４１が算出した各種パラメータの値に対応する年齢を選択する。そして、この選択された年齢を被計測者の歩行機能に関する年齢として一次的に推定する。年齢推定部１４３は、モード（１）〜（４）毎にパラメータ算出部１４１が算出した各種パラメータの値に基づいて被計測者の歩行機能に関する年齢を一次的に推定する。そして、すべてのモード（１）〜（４）で計測が行われた後に、モード（１）〜（４）において一次的に推定された年齢を平均し、最終結果として被計測者の歩行機能に関する年齢を推定する。なお、本実施の形態においては、パラメータとして「単位総Ｘ中心変位長」及び「単位総Ｙ中心変位長」を用いる場合を示しているが、他のパラメータを用いて年齢を推定する構成となっていてもよい。
【００５０】
重心位置記憶部１３８は、重心位置算出部１３３で算出された重心位置を検知時刻ごとに記憶するものである。
【００５１】
基準位置記憶部１３９は、基準位置算出部１３６で算出された基準位置を検知時刻ごとに記憶するものである。
【００５２】
中心変位長記憶部１４０は、中心変位長算出部１３７で算出された中心変位長を検知時刻ごとに記憶するものである。
【００５３】
データベース記憶部１４４は、年齢と、各年齢における各種パラメータの平均値とをデータベースとして記憶するものである。なお、データベースは、モード（１）〜（４）毎に構築されている。また、各種パラメータの平均値は、予め実施された評価テストに基づいて決定されたものである。
【００５４】
表示制御部１４５は、被計測者に指示する動作内容、及び、測定結果をディスプレイ２１に表示させるものである。また、表示制御部１４５は、指示部１４５ａと、両足配置領域決定部１４５ｂとを含んでいる。なお、後述するように、両足配置領域決定部１４５ｂは、ステップモード（１）が設定されているときのみ機能する。
【００５５】
まず、各モード（１）〜（４）において、表示制御部１４５がディスプレイ２に表示させる被計測者に指示する動作内容について説明する。
【００５６】
ステップモード（１）が設定されている場合には、両足配置領域決定部１４５ｂが、いずれの両足配置領域１１ｂ「１」〜「６」に被計測者を移動させるかを決定し、指示部１４５ａが、図３に示すような圧力分布センサ１１の外観図と、両足配置領域決定部１４５ｂに決定された両足配置領域１１ｂの番号「１」〜「６」とをディスプレイ２に表示させる。つまり、指示部１４５ａが被計測者に移動すべき両足配置領域１１ｂを指示する。そして、被計測者が指示部１４５ａの指示に従って指示された両足配置領域１１ｂに移動する。なお、以上処理は計測時間内において複数回繰り返される。
【００５７】
つぎ足モード（２）が設定されている場合には、指示部１４５ａが、図３に示すような圧力分布センサ１１の外観図と、被計測者につぎ足歩行を促す内容とをディスプレイ２に表示させる。
【００５８】
一歩モード（３）が設定されている場合には、指示部１４５ａが、図４に示すような圧力分布センサ１１の外観図と、被計測者に一歩踏み出すのを促す内容とをディスプレイ２に表示させる。
【００５９】
足踏みモード（４）が設定されている場合には、指示部１４５ａが、図５に示すような圧力分布センサ１１の外観図と、被計測者に足踏みを促す内容とをディスプレイ２に表示させる。
【００６０】
このように、指示部１４５ａが被計測者に動作内容を指示すると、計測が開始されると共に被計測者が指示部１４５ａの指示に従って各モード（１）〜（４）に対応する動作を行う。計測が完了すると、パラメータ算出部１４１が中心変位長記憶部１４０に記憶された中心変位長に基づいて、計測結果となる各種パラメータを算出する。表示制御部１４５は、この計測結果をディスプレイ２に表示させる。なお、被計測者に指示する動作内容は音声など他の方法で示されてもよい。
【００６１】
各モード（１）〜（４）において、表示制御部１４５がディスプレイ２に表示させる計測結果について図９〜図１３を参照しつつ説明する。図９は、ステップモード（１）の計測結果の表示内容を示す図である。図１０は、つぎ足モード（２）の計測結果の表示内容を示す図である。図１１は、一歩モード（３）の計測結果の表示内容を示す図である。図１２は、足踏みモード（４）の計測結果の表示内容を示す図である。図１３は、被計測者の歩行機能に関する年齢に関する表示内容を示す図である。なお、これらの表示内容は実際にはカラー表示となっている。図９〜図１２に示すように、表示制御部１４５は、圧力分布ウィンドウ５１及び結果表示ウィンドウ５２をディスプレイ２１に表示させる。また、表示制御部１４５は、図１３に示すように、全てのモード（１）〜（４）の計測が終了した後に、最終結果として推定年齢表示ウィンドウ５３をディスプレイ２１に表示させる。
【００６２】
図９〜図１２に示すように、圧力分布ウィンドウ５１には、被計測者の両足から圧力分布センサ１１上に加えられる圧力分布６１が、圧力分布データ記憶部１３２に記憶されている圧力分布データに基づいて表示されている。ここで、圧力分布６１は、等圧線状に表示されており、圧力値の大きさが変化するのに伴って、段階的に変化する色のスケールにしたがって表示されている。また、圧力分布ウィンドウ５１には、重心位置記憶部１３８に記憶されている重心位置データに基づいて、被計測者の重心が移動するときの軌跡６２が描かれている。従って、オペレータは、圧力分布ウィンドウ５１を見ることによって、被計測者の両足の圧力分布６１及び重心位置の軌跡６２を把握することができる。また、結果表示ウィンドウ５２には、パラメータ算出部１４１で算出された「総中心変位長」、「単位総中心変位長」、「総Ｘ中心変位長」、「単位総Ｘ中心変位長」、「総Ｙ中心変位長」及び「単位総Ｙ中心変位長」の数値が表示されている。
【００６３】
図１３に示すように、推定年齢表示ウィンドウ５３には、被計測者の氏名、年齢（実年齢）及び性別が示された個人情報欄が上方に表示されている。計測者の氏名、年齢及び性別は、計測前に予め入力されたものである。
【００６４】
個人情報欄の下方には、各モード（１）〜（４）におけるパラメータ（ここでは、「単位総Ｘ中心変位長」及び「単位総Ｙ中心変位長」）の項目、各パラメータに関する被計測者の年齢に対応する平均値、パラメータ算出部１４１が算出した被計測者に関する各パラメータの値である計測値、計測値に対する評価点及び判定内容が示された計測結果欄が表示される。平均値は、データベース記憶部１４４に記憶されたデータベースに含まれる被計測者の年齢におけるパラメータの平均値である。計測値は、パラメータ算出部１４１が算出したパラメータの値である。評価点は、表示制御部１４５が算出するものであって、平均値を１００としたときの平均値に対する計測値の値である。判定内容は、各パラメータの評価点に基づいて決定される評価である。判定内容は、評価が良い順に◎、○、△及び×などの記号によって表される。
【００６５】
計測結果欄の下方には、被計測者の推定年齢及び実年齢差が示された年齢結果欄が表示されている。推定年齢は、年齢推定部１４３が最終結果として推定した被計測者の歩行機能に関する年齢である。実年齢差は、表示制御部１４５が算出するものであって、推定年齢から実年齢を引いたものである。
【００６６】
年齢結果欄の下方においては、全てパラメータに関する評価点が円形チャートで示されている。各パラメータの平均値に対応する評価点である１００点を結ぶ線が破線で示されている。各パラメータの評価点を結ぶ線が実線で示されている。各パラメータの評価点を結ぶ線に囲まれた領域の面積が小さくなるほど評価が高くなることがわかる。なお、上述したように、本実施の形態においては、全てのモード（１）〜（４）での計測が完了した後に、推定年齢表示ウィンドウ５３が表示される構成となっているが、モード（１）〜（４）の少なくとも１つにおいて推定年齢表示ウィンドウ５３を表示させる構成であってもよい。この場合、上述した計測結果欄及び円形チャートの内容は適宜変更されることになる。
【００６７】
以上説明したように、本実施の形態の歩行訓練支援装置１によると、年齢推定部１４３が、被計測者が圧力分布センサに加える圧力分布に基づいて被計測者の歩行機能に関する年齢を推定するため、被計測者が年齢相当の歩行機能を有しているか否かを容易に判断することができる。これにより、専門的な知識を有さない者であっても被計測者の歩行機能を把握することができる。
【００６８】
また、年齢推定部１４３が、歩行機能に関するふらつき度との相関関係が高いパラメータである「単位総Ｘ中心変位長」及び「単位総Ｙ中心変位長」に基づいて被計測者の歩行機能に関する年齢を推定するため、歩行機能に関する年齢をより正確に推定することができる。
【００６９】
さらに、パラメータ算出部１４１が、被計測者が圧力分布センサ１１上において動作する各モード（１）〜（４）についてパラメータを算出し、年齢推定部１４３が、各モード（１）〜（４）においてパラメータ算出部１４１が算出したパラメータの値に基づいて被計測者の歩行機能に関する年齢を推定するため、被計測者が静止している状態と比較して、被計測者の歩行機能に関する年齢をより一層正確に推定することができる。
【００７０】
このとき、つぎ足モード（２）においては、歩行時のふらつき度が顕著に表れるため、被計測者の歩行機能に関する年齢をより正確に推定することができる。
【００７１】
また、ステップモード（１）において、被計測者の両足が左右方向に揃った状態で配置されるため、被計測者が通常歩行する場合と比較して圧力分布センサ１１の平面積を小さくすることができる。これにより圧力分布センサ１１の小型化及び低コスト化を図ることができる。
【００７２】
さらに、一歩モード（３）及び足踏みモード（４）においては、被計測者が圧力分布センサ１１上をほとんど移動しないため、圧力分布センサ１１を一層小さくすることができる。これにより圧力分布センサ１１の一層の小型化及び低コスト化を図ることができる。
【００７３】
加えて、年齢推定部１４３が、パラメータ算出部１４１が算出したパラメータの値と、データベース記憶部１４４に記憶されたデータベースとを参照して、被計測者の歩行機能に関する年齢を推定するため、演算処理によって年齢を推定する場合と比較して素早く年齢を推定することができる。
【００７４】
また、表示制御部１４５が、推定年齢表示ウィンドウ５３において、パラメータ算出部１４１が算出したパラメータの値と、年齢推定部１４３が推定した歩行機能に関する年齢とを表示させるため、推定年齢表示ウィンドウ５３の内容を確認することによって、専門的な知識を有さない者であっても被計測者の歩行機能を容易に把握することができる。
【００７５】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、表示制御部１４５が、推定年齢表示ウィンドウ５３において、パラメータ算出部１４１が算出したパラメータの値と、年齢推定部１４３が推定した歩行機能に関する年齢とをディスプレイ２１に表示させる構成となっているが、推定した歩行機能に関する年齢を含むのであれば、他の内容をディスプレイ２１に表示させる構成であってもよいし、計測結果を印刷出力する構成であってもよい。
【００７６】
また、上述の実施の形態では、年齢推定部１４３が、データベース記憶部１４４に記憶された年齢と、各年齢における各種パラメータの平均値を参照して、被計測者の歩行機能に関する年齢を推定する構成であるが、年齢推定部が、各年齢におけるパラメータの平均値を演算処理によって算出して、被計測者の歩行機能に関する年齢を推定する構成であってもよい。
【００７７】
さらに、上述の実施の形態では、各モード（１）〜（４）を選択的に実行可能な構成であるが、これらのモードのうち少なくともいずれか１つのモードが実行可能な構成であってもよいし、被計測者が圧力分布センサ１１上で足を動かす他のモードや、被計測者が圧力分布センサ１１上で静止した状態のモードなどが実行可能な構成であってもよい。
【図面の簡単な説明】
【００７８】
【図１】本発明の実施の形態に係る歩行訓練支援装置の概略構成を示す外観図である。
【図２】図１の歩行訓練支援装置の概略構成を示すブロック図である。
【図３】図１に示す歩行訓練支援装置におけるステップモードの動作内容を示した図である。
【図４】図１に示す歩行訓練支援装置におけるつぎ足モードの動作内容を示した図である。
【図５】図１に示す歩行訓練支援装置における一歩モードの動作内容を示した図である。
【図６】図１に示す歩行訓練支援装置における足踏みモードの動作内容を示した図である。
【図７】図１に示す感圧センサで検知される圧力分布データを示す図である。
【図８】図１に示す圧力分布センサ上に被験者が両足を配置したときの出力値が２値化変換された状態を示す図である。
【図９】図２に示すディプレイに表示されるステップモードに関する計測結果を示す図である。
【図１０】図２に示すディプレイに表示されるつぎ足モードに関する計測結果を示す図である。
【図１１】図２に示すディプレイに表示される一歩モードに関する計測結果を示す図である。
【図１２】図２に示すディプレイに表示される足踏みモードに関する計測結果を示す図である。
【図１３】図２に示すディプレイに表示される推定年齢表示ウィンドウを示す図である。
【符号の説明】
【００７９】
１  歩行訓練支援装置
１１  圧力分布センサ
１１ａ  感圧センサ（圧力検知領域）
２０  パーソナルコンピュータ
２１  ディスプレイ
３０  制御部
１３１  モード設定部
１３２  圧力分布データ記憶部（検知データ記憶手段）
１３３  重心位置算出部（重心位置算出手段）
１３４  比較部
１３５  変換部
１３６  基準位置算出部
１３７  中心変位長算出部
１３８  重心位置記憶部
１３９  基準位置記憶部
１４０  中心変位長記憶部
１４１  パラメータ算出部（評価値算出手段）
１４３  年齢推定部（推定手段）
１４４  データベース記憶部（データベース記憶手段）
１４５  表示制御部
１４５ａ  指示部
１４５ｂ  両足配置領域決定部
１５０        解析部（解析手段）
【図１】
0004749897.tif 000006
【図２】
0004749897.tif 000007
【図３】
0004749897.tif 000008
【図４】
0004749897.tif 000009
【図５】
0004749897.tif 000010
【図６】
0004749897.tif 000011
【図７】
0004749897.tif 000012
【図８】
0004749897.tif 000013
【図９】
0004749897.tif 000014
【図１０】
0004749897.tif 000015
【図１１】
0004749897.tif 000016
【図１２】
0004749897.tif 000017
【図１３】
0004749897.tif 000018